(57)【要約】  【課題】下部ポールと上部ポールを接続させた後の防水カバーの取付作業は、従来、ポールの頂部から挿入させていたため、高所作業となり、作業が煩雑で危険が伴うものであった。その作業が安全で簡易的なものとする。  【解決手段】防水カバー５は接合部５１で分割でき、下部ポール２と上部ポール３の接合部分にまきつけるように取付け固定する。このように取付けることによって、下部ポール２と上部ポール３の接合部分に防水カバー５を取付ける作業が、従来のように下部ポール２と上部ポール３を接合して立設させた後に、高所である上部ポール３の上端から防水カバー５を挿入して接合部分に設置するよりも、簡易に防水カバー５を装着する事ができる。  【選択図】  図３
2006132117.tif 000002
【特許請求の範囲】
【請求項１】
下部ポールと；
下部ポールの上端に接続される上部ポールと；
下部ポールと上端ポールの接続部分に設置され、両端がそれぞれ嵌合して輪状に形成される防水カバーと；
を具備したことを特徴とする照明用組立式ポール。
【発明の詳細な説明】
【技術分野】
【０００１】
本発明は下部ポール状に上部ポールが接続される組立式の照明用組立式ポールに関する。
【背景技術】
【０００２】
従来から、街路、道路、公園、広場などに設置されている照明装置として、ポール上端部に照明器具を設置している照明装置がよく知られている。このような照明装置はポール内に安定器を収納しポールに配線を挿通させて、照明器具の光源を点灯させている。
【０００３】
このようなポールは、地上部分だけでも３ｍから５・６ｍの高さが必要であり、地下部分に埋没される約１ｍの長さを考慮すると全長が４ないし７ｍとなり、運搬作業が煩雑であり、収納が困難であるという問題があった。このため、ポールを２分割にして、運搬し現地で接続するようなポールがよく用いられている。例えば、特許文献１に開示されている二段継ぎ街路灯ポールは、下部中空ポールの頂端面に環状プレートを溶接し、この環状プレートに、下部中空ポールよりも細い上部中空ポールの下部外周に溶接された鍔形環状プレートを上から当接し、両環状プレートをボルト締めして連結したポールに、連結部を覆う装飾カバーを下部中空ポールの頂部外周にセットねじで固定しているものであり、装飾カバーと上部ポールの隙間をシールして雨水の侵入を防いだり、接合部分を覆い隠したりする目的でパッキングが取付けられている。そして、下部ポールと上部ポールの連結部をカバーで覆うことによって、外観をよくすることばかりでなく、風雨に曝されることがなくなるものである。
【特許文献１】実開平５−３０３６３号公報
【発明の開示】
【発明が解決しようとする課題】
【０００４】
しかしながら、特許文献１の発明のカバーおよびパッキングは、ポールの繋ぎ作業後、上部ポールに沿って落とし込まれ、下部ポールの頂部外周にセットねじで固定されるものであるが、このような構成では、カバーはポールの端から端まで通過されなければならず、カバーの装着作業が煩雑である。特許文献１のカバーのような鋳物で形成されるものであればポール頂部まで昇って落とすことで装着できるが、リング状のパッキングはその特性上弾性を有した部材で作成されポールと密着されるように構成されているため、長いポールの頂部から継ぎ目まで装着させるのは煩雑である。
【０００５】
このため、本願発明によれば、組立式のポールの継ぎ目に防水カバー装着する装着作業を簡略化できる組立式ポールを提供することができる。
【課題を解決するための手段】
【０００６】
請求項１の発明の照明用組立式ポールは、下部ポールと；下部ポールの上端に接続される上部ポールと；下部ポールと上端ポールの接続部分に設置され、両端がそれぞれ嵌合して輪状に形成される防水カバーと；を具備したことを特徴とする。
【０００７】
以下の各発明において、特に指定しない限り用語の定義および技術的意味は次による。
【０００８】
下部ポールと上部ポールは、鋼管、ステンレス、アルミニウムなどの金属またはＦＲＰなどの樹脂からなるのが一般的であり、円筒状、角筒状などの形状を許容する。ポールの外表面には、防錆、耐食性、美観のため塗装やメッキが施されていることが好ましい。
【０００９】
下部ポールと上部ポールの接合は、例えば、下部ポールの上端面および上部ポールの下端面に管状プレートを予め溶接などで取付け、下部ポールと上部ポールの環状プレートを現地にてボルトなどによって固定する方法や、下部ポールの上端面に下部ポールの外径よりも小さい接続柱が立設されこの接続柱よりも内径のやや大きな上部ポールが接続柱を中に入れて下部ポールの上に立設させ、その後上部ポールから接続柱に螺入されたビスによって止着する方法などが選択される。
【００１０】
また、下部ポール内部には、ポールに設置された照明器具に内蔵されている光源を点灯させるための安定器などを挿入して設置してもよい。このとき安定器のケースがポールと電気的に接続されることによって安定器のケースに接続されているアースと接続され接地される。
【００１１】
防水カバーは、下部ポールと上部ポールの接合部分から水や埃などがポール内に侵入するのを抑制する、または、美観の点から設置される。下部ポールと上部ポールの接続部分を密着して覆うことができるように、シリコーンなどの弾性を有した材質または、ＥＶＡ樹脂などで構成される。そうして防水カバーは、両端が勘合してリング状に形成される構成を有している。この嵌合部は、それぞれの表裏に凹溝、凸溝を設けて勘合させる、両端に接続部品をもって接続させるなどにて構成することができる。そうして、防水カバーは輪状に構成され、ポールの接合部分に密着される。
【００１２】
そのほか、防水カバーの略中央部にヒンジ機構が設けられ、ポールの接合部分に密接させた後、防水カバーの両端を留金で留める構造なども許容する。
【発明の効果】
【００１３】
請求項１の発明によれば、下部ポールと上部ポールを接続させた後の防水カバーの取付作業が、従来、ポールの頂部から挿入させていたため、高所作業となり、作業が煩雑で危険が伴うものであったが、両端を接続して輪状に形成された防水カバーを用いるによって、下部ポールと上部ポールの接合部分で防水カバーを装着するでき、作業が安全で簡易的になった。
【発明を実施するための最良の形態】
【００１４】
本発明の照明装置を図を参照して説明する。なお、これらの図中、同一または相当部分には同一符号を付して、重複した説明の記載は省略または簡略化している。図１は本発明の実施形態である照明用組立式ポールの正面図であり、図２は、同じく取付状態を示す図、図３は、同じく要部断面図、図４は、防水カバーの（ａ）斜視図および（ｂ）要部拡大断面図である。
【００１５】
ポール１は、鋼管からなる下部ポール２、下部ポール２よりも外形の小さな鋼管からなる上部ポール３から構成される。そうして、上部ポール３の頂部には、照明器具４が取付けられている。また、ポール１は、下部ポール２の下端部分が地面Ｇに埋め込まれて固定される。
【００１６】
下部ポール２と上部ポール３の接合部分を覆うように防水カバー５が取付けられている。また、下部ポール２の人の手が届く高さに下部ポール２の内部に安定器（図示しない）を挿入し収納させるための安定器挿入用蓋７が取付けられる。下部ポール２、上部ポール３および安定器挿入蓋７の表面には、防錆処理が施され、さらには、外表面には美観を向上させる、メッキや塗装処理が施されている。
【００１７】
安定器（図示しない）は、安定器のケースにアースが接続されていることが一般的であり、安定器（図示しない）のアースは、ケースとポール１を電気的接続する事によって行われている。一般的に安定器は下部ポール２内壁に設けられたフックによってポール内部に取り付けられ固定される。このときポール１全体の内面と安定器ケースの電気的接続がされ、アースの連続性を確保するため、下部ポール２と上部ポール３の接続面や安定器挿入用蓋７などの取付面などのアースの連続性が絶たれるような部分においては、ポール内面の絶縁性の塗装やメッキを削成するように、鋭利なものと当接させたり、接続部分同士を表面を荒らしたり、溶接固定したりするなどして導通させることもできる。また、ポール１にアースが接続されている場合は、ポール外表面の塗装は絶縁性の塗料である事が望ましい。
【００１８】
次に、本実施形態の下部ポール２と上部ポール３の取り付け方法について説明する。下部ポール２の上端は絞り形状に形成され、その上端面に下部ポール２の外径よりも小さく上部ポール３の外形を略等しい外径を有する接続台２１が立設されこの接続台２１よりも外形が小さく上部ポール３の内径と感応できる接続柱２２が立設されている。そうして、上部ポール３にこの接続柱２２を中に入れて下部ポール２の上に立設させる。この構成によって上部ポール３は接続柱２２と任意の角度となるようにし、上部ポール３に形成されたネジ孔３１からを螺入されたビス３３によって上部ポール３と接続柱２２を止着する。
【００１９】
このとき、図２のように、ネジ孔３１はそれぞれ９０°の角度をもって４個設置され、対向する２つのネジ孔３１は同じ高さに、対向するほかの２つのネジ孔３２は異なった高さで形成される。このように９０°異なる方向を異なる高さで固定させることによって、下部ポール２と上部ポール３の固定が安定する。このためポール１が風や振動などの影響による揺れや振動を低減することができる。また、ネジ３３の締結作業が最小限であるように、本実施形態では、ネジ３３は４個使用している。
【００２０】
そうして、下部ポール２と上部ポール３の接合部分に、シリコーンのような樹脂部材からなる防水カバー５を接続させる。防水カバー５は図４に示すように、接合部５１にて分割可能な輪状に形成されている。図４において（ａ）は防水カバーの斜視図、（ｂ）は要部である接合部の拡大断面図である。接合部５１は内外２層構造になっており、外層にあたる部分には凸部５２、内層にあたる部分には凹部５３がそれぞれ形成されている。まず、防水カバー５を接合部５１で分割し、下部ポール２と上部ポール３の接合部分にまきつけるように取付ける。そして、接合部５１の凸部５２と凹部５３を勘合させて取付け、輪状にして下部ポール２と上部ポール３の接合部分を覆っている。
【００２１】
このように取付けることによって、下部ポール２と上部ポール３の接合部分に防水カバー５を取付ける作業が、従来のように下部ポール２と上部ポール３を接合して立設させた後に、高所である上部ポール３の上端から防水カバー５を挿入して接合部分に設置するよりも、簡易に防水カバー５を装着する事ができる。
【図面の簡単な説明】
【００２２】
【図１】本発明の第１の実施形態の照明装置の斜視図。
【図２】同じく断面図。
【図３】同じくアーム上方からの上面図。
【図４】同じくポールとアームの取付け方法を説明する要部断面図。
【符号の説明】
【００２３】
１…投光器、  ２…ランプ  ３…アーム  ４…ポール  ５・・・安定器
３ａ・・・アーム本体  ３ｂ・・・アーム蓋体  ３ｆ・・固定ネジ  
【図１】
2006132117.tif 000003
【図２】
2006132117.tif 000004
【図３】
2006132117.tif 000005
【図４】
2006132117.tif 000006